(57)【要約】【課題】位置決め精度が要求される部品間の位置決め精度を確保しつつ、部品点数の増加を抑制する遊技台を提供すること。【解決手段】遊技台を構成する第１の構成部品と、前記第１の構成部品に設けた第１の接続部に接続される第２の接続部を有し、前記遊技台を構成する第２の構成部品と、前記第１及び第２の構成部品のいずか一方に取り付けられ、前記第１の接続部と前記第２の接続部との位置決めをするための位置決め部材と、前記位置決め部材に支持され、前記遊技台を構成する第３の構成部品と、を備えたことを特徴とする遊技台を提供する。【選択図】図７
2008307214.tif 000002
【特許請求の範囲】
【請求項１】
遊技台を構成する第１の構成部品と、
前記第１の構成部品に設けた第１の接続部に接続される第２の接続部を有し、前記遊技台を構成する第２の構成部品と、
前記第１及び第２の構成部品の少なくともいずか一方に固定され、前記第１の接続部と前記第２の接続部との位置決めをするための位置決め部材と、
前記位置決め部材に支持され、前記遊技台を構成する第３の構成部品と、
を備えたことを特徴とする遊技台。
【請求項２】
前記第３の構成部品は、前記位置決め部材に回動自在に支持されていることを特徴とする請求項１に記載の遊技台。
【請求項３】
前記遊技台は、
遊技球の入賞口を有する遊技領域が前面に形成された遊技盤と、
前記遊技盤を支持する枠体と、
を備えた遊技台であり、
前記第１乃至第３の構成部品は前記遊技盤の背後に配設され、
前記第１及び第２の構成部品は前記枠体に取り付けられていることを特徴とする請求項１又は２に記載の遊技台。
【請求項４】
前記第１及び第２の構成部品は遊技球の通路を形成する部品であり、前記第１及び第２の接続部は、前記通路の接続部であることを特徴とする請求項３に記載の遊技台。
【請求項５】
前記第３の構成部品は、前記遊技台の制御基板を収納した基板収納ケースであることを特徴とする請求項３又は４に記載の遊技台。
【請求項６】
前記基板収納ケースが、複数種類の制御基板を収納したことを特徴とする請求項５に記載の遊技台。
【発明の詳細な説明】
【技術分野】
【０００１】
本発明はパチンコ機に代表される遊技台に関する。
【背景技術】
【０００２】
一般にパチンコ機では、遊技球の流通機構や制御基板等の部品が遊技盤の背後に配設される（特許文献１）。このような部品を取り付ける構造としては、遊技盤の背後に配設される各種部品をユニット化した裏機構盤として、遊技盤を支持する内枠（前枠とも呼ばれる）に一体的に取り付ける構造が提案されている。また、遊技球の供給機構に関わる取り付け構造を開示するものとして、特許文献２には遊技媒体貸出装置において、遊技球の供給機構をプレートに取り付けてユニット化したものが開示されている。
【０００３】
【特許文献１】特許第３５０９８９５号公報
【特許文献２】特開２００５−１３４２２号公報
【発明の開示】
【発明が解決しようとする課題】
【０００４】
遊技台の構成部品の中には、部品相互間の位置決め精度が要求される場合がある。例えば、遊技球の流通経路を複数の部品を組み立てて形成する場合、部品間の接続部分が適切に接続されておらず、位置ずれを生じていると遊技球が円滑に流れない要因となる。よって、このような位置決め精度が要求される部位については、位置決め精度を向上するための構造を設けることが望ましい。しかし、位置決め精度を向上するための構造を追加すると、部品点数が増加し、製造コスト及び組み立て作業の煩雑化を招くことになる。特に、パチンコ機において、遊技盤の背後に配設される各種部品は部品点数が多いため、その削減が望まれる。
【０００５】
従って、本発明の目的は、位置決め精度が要求される部品間の位置決め精度を確保しつつ、部品点数の増加を抑制する遊技台を提供することにある。
【課題を解決するための手段】
【０００６】
本発明によれば、遊技台を構成する第１の構成部品と、前記第１の構成部品に設けた第１の接続部に接続される第２の接続部を有し、前記遊技台を構成する第２の構成部品と、前記第１及び第２の構成部品の少なくともいずか一方に固定され、前記第１の接続部と前記第２の接続部との位置決めをするための位置決め部材と、前記位置決め部材に支持され、前記遊技台を構成する第３の構成部品と、を備えたことを特徴とする遊技台が提供される。
【０００７】
本発明の遊技台では、前記位置決め部材が、前記第１の接続部と前記第２の接続部との位置決めと前記第３の構成部品の支持とを兼用することで、前記第３の構成部品に固有の支持部材を削減して部品点数の増加を抑制しながら、前記第１の接続部と前記第２の接続部との位置決め精度を確保することができる。
【０００８】
本発明においては、前記第３の構成部品は、前記位置決め部材に回動自在に支持されている構成でもよい。この構成によれば、前記第３の構成部品のメンテナンス及び前記第３の構成部品に覆われる他の部品のメンテナンスを容易化できる。
【０００９】
また、本発明においては、前記遊技台は、遊技球の入賞口を有する遊技領域が前面に形成された遊技盤と、前記遊技盤を支持する枠体と、を備えた遊技台であり、前記第１乃至第３の構成部品は前記遊技盤の背後に配設され、前記第１及び第２の構成部品は前記枠体に取り付けられていてもよい。この構成によれば、前記第１及び第２の構成部品は前記枠体に取り付けられていることにより、当該構成部品を前記枠体により支持するための部品が不要となり、かつ、前記第３の構成部品も前記位置決め部材及び前記第１又は第２の構成部品を介して前記枠体により支持することができる。
【００１０】
また、本発明においては、前記第１及び第２の構成部品は遊技球の通路を形成する部品であり、前記第１及び第２の接続部は、前記通路の接続部であってもよい。この構成によれば、遊技球の通路を精度よく形成できる。
【００１１】
また、本発明においては、前記第３の構成部品は、前記遊技台の制御基板を収納した基板収納ケースであってもよい。この構成によれば、前記位置決め部材及び前記第１又は第２の構成部品を介して前記基板収納ケースを前記枠体により支持することができる。
【００１２】
また、本発明においては、前記基板収納ケースが、複数種類の制御基板を収納した構成としてもよい。この構成によれば、各制御基板の取り付けを一括して行える。
【発明の効果】
【００１３】
以上述べた通り、本発明によれば、位置決め精度が要求される部品間の位置決め精度を確保しつつ、部品点数の増加を抑制する遊技台を提供することができる。
【発明を実施するための最良の形態】
【００１４】
以下、本発明の実施形態について図面を参照して説明する。図１は本発明の一実施形態に係る遊技台Ａの斜視図であり、前面扉４００を開いた態様を示す図である。なお、以下の説明において、前面（正面）、背面、左、右、上、下といった方向を示す場合には図１に図示した方向に基づく。
【００１５】
遊技台Ａはパチンコ機であって、外枠１００と、内枠２００と、遊技盤３００と、前面扉４００と、を備える。外枠１００は方形の枠体（例えば木枠）をなしており、遊技台Ａをホールの島に設置するための枠である。内枠２００は遊技盤３００を支持する枠体であり、外枠１００の前面側に配設され、ヒンジ部２０１を介して外枠１００に回動自在に支持されている。なお、ヒンジ部２０１は上下に離間して設けられており、図１においては上方のヒンジ部２０１のみが図示されている。
【００１６】
内枠２００の下部には、演出装置５００や遊技球（パチンコ球）の発射装置５０１等が取り付けられている。また、内枠２００の下部には、遊技者に払い出される遊技球の払出口２０２ａ、２０２ｂが設けられている。
【００１７】
前面扉４００は内枠２００の一方の側部（左側の側部）においてヒンジ部４０１を介して回動自在に内枠２００に支持されている。なお、ヒンジ部４０１は上下に離間して設けられており、図１においては上方のヒンジ部４０１のみが図示されている。前面扉４００は、通常は内枠２００の前面を覆う閉鎖状態（不図示）にあり、遊技台Ａのメンテナンス時等に図１に示す開放状態とすることができる。
【００１８】
前面扉４００にはガラス板等の透明の部材で構成される窓部４０２を有しており、遊技者は窓部４０２を通して遊技盤３００を見ることができる。前面扉４００の前面には球発射ハンドル４０３が設けられている。遊技者が球発射ハンドル４０３を操作すると、発射装置５０１から遊技盤３００へ遊技球が発射されることになる。
【００１９】
前面扉４００の前面には遊技者に払い出される遊技球を貯留する不図示の上皿、下皿が形成されており、前面扉４００の背面には、上皿と連通して払出口２０２ａから払い出される遊技球を上皿に導く通過口４０４ａ、下皿と連通して払出口２０２ｂから払い出される遊技球を下皿に導く通過口４０４ｂ、がそれぞれ設けられている。
【００２０】
図２は遊技盤３００の正面図である。遊技盤３００は、本体パネル３１０と、遊技領域３２０と、を備える。本体パネル３１０はその外形が略矩形をなしており、例えば、樹脂材料から形成される。遊技領域３２０は本体パネル３１０の前面に形成されており、したがって遊技盤３００の前面に形成されている。以下、本実施形態における遊技領域３２０の構成について説明する。
【００２１】
遊技領域３２０には釘３２０ａが複数配設されている。また、遊技領域３２０には、特図始動入賞口３２１ａ及び３２１ｂ、複数の普図始動入賞口３２２、複数の一般入賞口３２３、及び、可変入賞装置３２４が配設されている。本実施形態の場合、特図始動入賞口３２１ａ及び普図始動入賞口３２２はゲート式の入賞口であり、遊技球（パチンコ球）の入球後も遊技領域３２０を流下する。一方、特図始動入賞口３２１ｂ、一般入賞口３２３及び可変入賞装置３２４はいずれも、遊技球の入球後には遊技領域３２０から排出される。これらの各入賞口にはいずれも入球を検出するセンサ（不図示）が設けられている。
【００２２】
特図始動入賞口３２１ｂは、いわゆる電動チューリップであり、羽根部の開閉により、遊技球の入球が規制される規制状態と、規制状態よりも遊技球が入球し易い開放状態と、の間で状態が変化する。可変入賞装置３２４は、大当たりが発生した場合に遊技球の入球が可能となるよう、その入賞口にシャッタ（不図示）が設けられており、このシャッタは大当たりが発生した場合にのみ開放される。
【００２３】
遊技領域３２０には、また、アウト口３２５が設けられている。アウト口３２５は遊技領域３２０の最下部に設けられており、いずれの入賞口にも入球しなかった遊技球はこのアウト口３２５に入球して遊技領域３２０から排除される。
【００２４】
遊技領域３２０の略中央には液晶表示装置（ＬＣＤ）３２６が配置されている。ＬＣＤ３２６は各種の情報を表示する画像表示装置であり、本実施形態では液晶表示装置を採用するが他の画像表示装置であってもよい。遊技領域３２０の上部には、普通図柄表示装置３２７ａ、特別図柄表示装置３２７ｂが設けられている。本実施形態の場合、これらはいずれも７セグメントＬＥＤ表示器である。また、普通図柄表示装置３２７ａ及び特別図柄表示装置３２７ｂの下方には普図抽選保留記憶数表示装置３２８ａが、上方には特図抽選保留記憶数表示装置３２８ｂが、それぞれ配設されている。
【００２５】
普図抽選保留記憶数表示装置３２８ａは小当たり判定用の乱数の保留回数を表示し、特図抽選保留記憶数表示装置３２８ｂは大当たり判定用の乱数の保留回数を表示する。本実施形態の場合、普図抽選保留記憶数表示装置３２８ａ及び特図抽選保留記憶数表示装置３２８ｂをいずれも複数のＬＥＤで構成し、乱数の保留回数に応じた数のＬＥＤを点灯する。
【００２６】
遊技領域３２０には、また、外レール３２９ａ及び内レール３２９ｂが配設されている。発射装置５０１から発射された遊技球は、外レール３２９ａと内レール３２９ｂとの間の通路を通って遊技領域３２０の上部へ打ち込まれることになる。
【００２７】
次に、上記構成からなる遊技領域３２０による遊技について概説する。遊技者が発射ハンドル４０３を操作すると、発射装置５０１から発射された遊技球が遊技領域３２０の上部へ打ち込まれる。遊技球は、その後、遊技領域３２０に立設した複数の釘３２０ａと衝突を繰り返しながら遊技領域３２０の下部に流れ落ちる。遊技領域３２０の上部から下部へ遊技球が流れ落ちる過程で、特図始動入賞口３２１ａ及び３２１ｂ、普図始動入賞口３２２、一般入賞口３２３、可変入賞装置３２４に遊技球が入球することで入賞となり、遊技者に対して特典が与えられる。
【００２８】
遊技者に対する特典として、特図始動入賞口３２１ｂ、一般入賞口３２３に遊技球が入球した場合は一定数の賞球、例えば３個の遊技球が払出される。可変入賞装置３２４に遊技球が入球した場合は一定数の賞球、例えば１５個の遊技球が払出される。特図入賞口３２１ａ、普図始動入賞口３２２に入球した場合は遊技球を払出してもよいが、本実施形態では払出はない。
【００２９】
遊技台Ａの主制御部（不図示）は特図始動入賞口３２１ａ又は３２１ｂに遊技球が入球したことを条件として大当たりの抽選を行なう。抽選の結果は特別図柄表示装置３２７ｂにより表示する。特別図柄表示装置３２７ｂは所定時間の間、図柄（特別図柄）を変動表示した後、抽選結果に応じた特別図柄を確定表示する。大当たりの抽選は、乱数を取得し、取得した乱数が予め定めた値に該当するか否かを判定（大当たりの判定）することにより行なう。大当たりの当選確率は各抽選毎に例えば１／３５０である。
【００３０】
本実施形態の場合、大当たりの判定は、特別図柄の変動中には行なわない。特別図柄の変動中に特図始動入賞口３２１ａ又は３２１ｂへの遊技球の入球があった場合は、その入球に対応する乱数を保留し、特別図柄の確定表示後に大当たりの判定を行なう。乱数の保留数は例えば最大４つである。従って、最大保留回数を超えて、特図始動入賞口３２１ａ又は３２１ｂに入球があった場合、その入球に対応する大当たりの抽選は行なわない。なお、大当たり用の乱数の保留数を「特図抽選保留記憶数」といい、特図抽選保留記憶数表示装置３２８ｂによりその数が表示される。
【００３１】
抽選の結果はＬＣＤ３２６にも表示される。ＬＣＤ３２６は、図柄（装飾図柄）の組合せを変動して表示した後、大当たりの判定結果に応じた装飾図柄の組合せを表示する。ＬＣＤ３２６は、特別図柄表示装置３２７ｂの特別図柄の変動開始及び変動終了と略同期して装飾図柄の組合せの表示の変動を開始し、終了する。
【００３２】
次に、遊技台Ａは、大当たりの抽選結果が大当たりであることを条件として、予め定めた了条件が成立するまで、遊技状態として大当たり状態を設定する。大当たり状態が設定されている間、可変入賞装置３２４のシャッタが所定回数（例えば１５回）開放し、可変入賞装置３２４に遊技球が入球可能となる。１回の開放（ラウンド）は可変入賞装置３２４に一定数の遊技球の入球（例えば９個）があるか、一定時間の経過（例えば３０秒）により終了する。大可変入賞装置３２４のシャッタが上記の所定回数開放すると、つまり、ラウンド数が所定回数に達すると大当たり状態を終了する。
【００３３】
遊技台Ａの主制御部は普図始動入賞口３２２に遊技球が入球したことを条件として小当たりの抽選を行なう。抽選の結果は普通図柄表示装置３２７ａにより表示する。普通図柄表示装置３２７ａは所定時間の間、図柄（普通図柄）を変動表示した後、抽選結果に応じた普通図柄を確定表示する。
【００３４】
本実施形態では小当たりの抽選は、乱数を取得し、取得した乱数が予め定めた値に該当するか否かを判定（小当たりの判定）することにより行なう。本実施形態の場合、小当たりの判定は、普通図柄の変動中には行なわない。普通図柄の変動中に普図始動入賞口３２２への遊技球の入球があった場合は、その入球に対応する乱数を保留し、普通図柄の確定表示後に小当たりの判定を行なう。乱数の保留数は例えば最大４つである。従って、最大保留回数を超えて、普図始動入賞口３２２に入球があった場合、その入球に対応する小当たりの抽選は行なわない。なお、小当たり用の乱数の保留数を「普図抽選保留記憶数」といい、普図抽選保留記憶数表示装置３２８ａによりその数が表示される。
【００３５】
遊技台Ａの主制御部は、小当たりの抽選結果が小当たりであることを条件として、特図始動入賞口３２１ｂを一定時間（例えば０．３秒）開放させる。よって、小当たりが成立すると特図始動入賞口３２１ｂに遊技球が入球し易くなる。
【００３６】
次に、遊技台Ａの背面側の構成について説明する。図３は遊技台Ａの背面図であり、遊技盤３００の背後に配設される構成を示す。基板収納ケース５０２は、遊技の進行を制御する主制御部を構成する主制御基板を収納する。また、基板収納ケース５０２の背後（正面側）には、演出装置５００を制御する副制御基板及び台コンピュータとのインターフェースとなる中継基板を収納する不図示の基板収納ケースが配設されている。これらは遊技盤３００の背面に取り付けられている。
【００３７】
液晶制御基板５０３はＬＣＤ３２６の制御回路基板であり、遊技盤３００の背面に取り付けられている。基板収納ケース５０４は、遊技球の払出しを制御する払出制御基板を収納する収納部５０４ａ、発射装置５０１を制御する発射基板を収納する収納部５０４ｂ及び遊技台Ａに隣接して配設される遊技球の貸出装置とのインターフェースとなる接続端子基板を収納する収納部５０４ｃを備える。このように、基板収納ケース５０４が複数種類の制御基板を収納する構成としたことにより、各制御基板の取り付けを一括して行える。
【００３８】
図４は、基板収納ケース５０２、ＬＣＤ３２６及び液晶制御基板５０３並びに基板収納ケース５０４を取り外した状態での遊技台Ａの背面図である。遊技台Ａの背面上部には、島の補給装置から供給される遊技球を貯留するタンク５０５、遊技結果等に応じて遊技者に遊技球を払いだす賞球装置５０６、賞球装置５０６からの遊技球を上皿、下皿に流通させる通路を形成する球通路形成部材５０７、及び、アウト口３２５から排出された遊技球が流通する球通路形成部材５０８が配設されている。図３に示すように、球通路形成部材５０７及び５０８の大部分は、通常時には基板収納ケース５０４に覆われた状態にある。
【００３９】
図５は、内枠２００、タンク５０５、賞球装置５０６、球通路形成部材５０７及び５０８の分解斜視図である。本実施形態の場合、タンク５０５、賞球装置５０６、球通路形成部材５０７及び５０８はいずれも内枠２００に取り付けられて固定されている。タンク５０５の上部は上方へ開口しており、島の補給装置から遊技球がここへ供給される。タンク５０５内の遊技球は賞球装置５０６へ導かれる。賞球装置５０６は基板収納ケース５０４に収納された払出制御基板により動作が制御され、遊技結果等に応じた数の遊技球を球通路形成部材５０７へ供給する。
【００４０】
球通路形成部材５０７及び５０８の構成について、図５乃至図７を参照して説明する。図６は球通路形成部材５０７及び５０８を組み立てた状態の斜視図、図７は球通路形成部材５０７及び５０８の分解斜視図である。
【００４１】
球通路形成部材５０７の下部には遊技球の３つの出口５０７ａ、５０７ｂ及び５０７ｅが形成され、上部には遊技球の２つの入口５０７ｃ及び５０７ｄが形成されている。球通路形成部材５０７内には、入口５０７ｄと出口５０７ａとを結ぶ通路、該通路から分岐して出口５０７ｂに連通した通路が形成されている。更に、球通路形成部材５０７内には入口５０７ｃと出口５０７ｅとを結ぶ球抜き用通路が形成されている。
【００４２】
組み立て時において、球通路形成部材５０７の出口５０７ａは内枠２００の払出口２０２ａに位置し、出口５０７ａから排出される遊技球は、払出口２０２ａ及び上述した通過口４０４ａを介して上皿へ導かれる。一方、球通路形成部材５０７の出口５０７ｂは内枠２００に設けた遊技球の入口２０２ｃに位置する。内枠２００の内部において、入口２０２ｃと払出口２０２ｂとは連通している。したがって、出口５０７ｂから排出される遊技球は、入口２０２ｃと、上述した通過口４０４ｂを介して下皿へ導かれる。
【００４３】
賞球装置５０６から供給される遊技球は、通常は、球通路形成部材５０７の入口５０７ｄから球通路形成部材５０７内に導入され、出口５０７ａから排出される。但し、上皿が満杯になって、出口５０７ａにまで遊技球が溜まった状態となると、球通路形成部材５０７内の、出口５０７ａと入口５０７ｄとを結ぶ通路から遊技球が溢れ、該通路から分岐して出口５０７ｂに連通した通路に流れ込み、出口５０７ｂから遊技球が排出される。こうして、遊技球は基本的には上皿へ排出されるものの、上皿が満杯になると下皿へ導かれることになる。
【００４４】
一方、球通路形成部材５０８の下部には遊技球の出口５０８ｃが形成され、上部中央には遊技球の入口５０８ａが、上部左側には入口５０８ｂが形成されている。球通路形成部材５０８内は、これらの出口５０８ｃ、入口５０８ａ及び５０８ｂに連通した空間が形成されている。
【００４５】
組み立て時において、球通路形成部材５０８の入口５０８ａは、内枠２００に形成され、上述したアウト口３２５から排出される遊技球を受ける、受け部２０２ｄに位置する。したがって、アウト口３２５から排出される遊技球は、入口５０８ａから球通路形成部材５０８内部へ導入され、球通路形成部材５０８の出口５０８ｃから遊技台Ａの下方へ排出される。遊技台Ａの下方には、島の球回収設備が位置しており、出口５０８ｃから排出された遊技球は球回収設備で回収されることになる。
【００４６】
球通路形成部材５０８の入口５０８ｂは、球通路形成部材５０７の出口５０７ｅに接続され、これらはそれぞれ互いに接続される接続部を構成している。上述したとおり、球通路形成部材５０７内には出口５０７ｅと入口５０７ｄとを結ぶ球抜き用通路が形成されており、球通路形成部材５０８の入口５０８ｂはこの球抜き用通路と連通することになる。
【００４７】
一般に、タンク５０５や賞球装置５０６は経時的に劣化し易い部品であり、定期的なメンテナンス、交換が行われる。その際、タンク５０５や賞球装置５０６内には遊技球が残留しているのが普通であり、これを取り除く必要がある。球抜き用通路は、この場合に用いられる遊技球の通路であり、タンク５０５や賞球装置５０６のメンテナンス等の際には、賞球装置５０６から球通路形成部材５０８の入口５０７ｄへ残留遊技球が供給され、残留遊技球は、入口５０７ｄ、出口５０７ｅを介して球通路形成部材５０８の入口５０８ｂへ導かれる。入口５０８ｂから球通路形成部材５０８内へ導入された遊技球は、出口５０８ｃから排出され、島の球回収設備により回収されることになる。
【００４８】
ここで、球通路形成部材５０８の入口５０８ｂと球通路形成部材５０７の出口５０７ｅとは、適切に位置決めされていないと、遊技球が円滑に流れないことになる。これらの位置決め精度を、球通路形成部材５０７及び５０８の内枠２００への取付精度で確保しようとすると、球通路形成部材５０７及び５０８並びに内枠２００自体の精度を向上する必要があり、困難な場合が多い。そこで、本実施形態では、位置決め部材５０９により、球通路形成部材５０８の入口５０８ｂと球通路形成部材５０７の出口５０７ｅとの位置決めを局所的に行う構成を採用している。
【００４９】
位置決め部材５０９は、本実施形態の場合、球通路形成部材５０８にねじにより固定されている。尤も、球通路形成部材５０７に固定してもよく、或いは、球通路形成部材５０７及び５０８の双方に固定するようにしてもよい。
【００５０】
球通路形成部材５０７及び５０８は、それぞれ突起５０７ｆ、５０８ｄを有しており、これらの突起５０７ｆ、５０８ｄは位置決め部材５０９に設けた穴に嵌合する。これにより、球通路形成部材５０８の入口５０８ｂと球通路形成部材５０７の出口５０７ｅとの上下方向の位置決めがなされる。位置決め部材５０９は、側片５０９ｂ乃至５０９ｄを有している。これらの側片５０９ｂ乃至５０９ｄは、球通路形成部材５０７及び５０８の一部に当接し、球通路形成部材５０８の入口５０８ｂと球通路形成部材５０７の出口５０７ｅとの左右方向の位置決めを行う。
【００５１】
このような位置決め部材５０９を設けたことにより、球通路形成部材５０８の入口５０８ｂと球通路形成部材５０７の出口５０７ｅとの上下左右の位置決めを行うことで、これらの間の位置決め精度を確保し、遊技球の円滑な流通を実現することができる。
【００５２】
続いて、位置決め部材５０９は、その上下にそれぞれ設けた取付片５０９ａを有する。本実施形態では、この取付片５０９ａに基板収納ケース５０４を取り付け、支持する。図８（ａ）は基板収納ケース５０４の表面図、図８（ｂ）は基板収納ケース５０４の裏面図である。基板収納ケース５０４の裏面には、取付軸５０４ｄが上下に離間して一対設けられている。位置決め部材５０９の取付片５０９ａには取付軸５０４ｄが挿入される貫通穴が形成されており、取付軸５０４ｄを取付片５０９ａの貫通穴に挿入することで、基板収納ケース５０４が支持されることになる。
【００５３】
本実施形態の場合、位置決め部材５０９が球通路形成部材５０８に固定され、球通路形成部材５０８は内枠２００に固定されている。したがって、基板収納ケース５０４は位置決め部材５０９及び球通路形成部材５０８を介して内枠２００に支持される。
【００５４】
このように、本実施形態では、位置決め部材５０９が、球通路形成部材５０８の入口５０８ｂと球通路形成部材５０７の出口５０７ｅとの位置決めと、基板収納ケース５０４の支持とを兼用することで、基板収納ケース５０４に固有の支持部材を不要として部品点数の増加を抑制しながら、球通路形成部材５０８の入口５０８ｂと球通路形成部材５０７の出口５０７ｅとの位置決め精度を確保することができる。また、基板収納ケース５０４の配置の自由度を向上できる。
【００５５】
また、本実施形態の場合、基板収納ケース５０４は取付軸５０４ｄを回動軸として、位置決め部材５０９に対して回動自在に支持される。したがって、図３に示した、球通路形成部材５０７及び５０８が基板収納ケース５０４に覆われた状態から基板収納ケース５０４を手前側に回動することで、基板収納ケース５０４を取り外すことなく、球通路形成部材５０７及び５０８といった、基板収納ケース５０４に通常時において覆われる部品のメンテナンス等を容易化することができる。
【００５６】
なお、基板収納ケース５０４が、図３に示した、球通路形成部材５０７及び５０８が基板収納ケース５０４に覆われた状態から勝手に回動してしまうことを防止するために、基板収納ケース５０４には、図７に示す２つの係合部５０４ｅが図８（ａ）及び（ｂ）に示す位置に設けられている。球通路形成部材５０８には、図７に示すように、係合部５０４ｅを係止する係止部５０８ｅが設けられている。本実施形態の場合、係合部５０４ｅは軸部を備えており、係止部５０８ｅはこの軸部が挿入される穴を有する筒体である。筒体は、可撓性又は弾性を有する部材からなり、例えば、ゴムからなる。基板収納ケース５０４を図３に示した閉鎖状態とする際に、係合部５０４ｅが係止部５０８ｅに差し込まれて両者が係止状態となり、基板収納ケース５０４が遊技台Ａの振動等により、勝手に回動してしまうことを防止できる。
【００５７】
次に、本実施形態の場合、球通路形成部材５０７及び５０８が内枠２００に直接取り付けられていることにより、これらを内枠２００により支持するための部品が不要となる。
【００５８】
なお、本実施形態では、位置決め部材５０９により、球通路形成部材５０８の入口５０８ｂと球通路形成部材５０７の出口５０７ｅとの位置決めを行ったが、位置決めの対象とする部品はこれらに限られず、遊技台の各種の構成部品に本発明は適用可能である。また、位置決めの対象とする部品は２つの部品に限られず、３部品以上でもよい。
【００５９】
図９は、３つの構成部品１乃至３を位置決め部材４で位置決めした場合の例を示す模式図である。同図の例では、位置決め部材４は、構成部品１にねじにより固定され、構成部品２及び３はそれぞれ、突起２ａ、３ａを有しており、これらの突起２ａ、３ａが位置決め部材４に嵌合する構成である。なお、位置決め部材４に支持される構成部品は図示を省略している。また、位置決め部材４は、構成部品１乃至３の全てに固定するようにしてもよく、或いは、いずれか２つに固定するようにしてもよい。
【図面の簡単な説明】
【００６０】
【図１】本発明の一実施形態に係る遊技台Ａの斜視図であり、前面扉４００を開いた態様を示す図である。
【図２】遊技盤３００の正面図である。
【図３】遊技台Ａの背面図である。
【図４】基板収納ケース５０２、ＬＣＤ３２６及び液晶制御基板５０３並びに基板収納ケース５０４を取り外した状態での遊技台Ａの背面図である。
【図５】内枠２００、タンク５０５、賞球装置５０６、球通路形成部材５０７及び５０８の分解斜視図である。
【図６】球通路形成部材５０７及び５０８を組み立てた状態の斜視図である。
【図７】球通路形成部材５０７及び５０８の分解斜視図である。
【図８】（ａ）は基板収納ケース５０４の表面図、図８（ｂ）は基板収納ケースの裏面図である。
【図９】３つの構成部品１乃至３を位置決め部材４で位置決めした場合の例を示す模式図である。
【符号の説明】
【００６１】
Ａ  遊技台
【図１】
2008307214.tif 000003
【図２】
2008307214.tif 000004
【図３】
2008307214.tif 000005
【図４】
2008307214.tif 000006
【図５】
2008307214.tif 000007
【図６】
2008307214.tif 000008
【図７】
2008307214.tif 000009
【図８】
2008307214.tif 000010
【図９】
2008307214.tif 000011